(57)【特許請求の範囲】
【請求項１】
画像記録装置等の本機に着脱可能で、本機に装着され、本機と独立した駆動源により駆動され、本機側から搬入されるシートに押印を施す押印装置であり、
本機側からの搬入シートの有無を検知するシート検知手段と、
シート搬送路の前記シート検知手段よりもシート搬送方向下流側に配設されたシート搬送手段と、
前記シート搬送手段により搬送されるシートに押印を施す押印手段と、
前記シート検知手段によるシート検知信号に基づいて、前記シート搬送手段と前記押印手段を駆動制御する駆動制御手段と
を備え、
前記押印装置は、電源供給状態において、前記駆動制御手段が駆動制御を停止する駆動停止モードと、駆動制御可能な駆動待機モードとを有し、前記画像記録装置等の本機の電源スイッチに連動して本機側電源のＯＮ状態を表示する発光表示手段により発光表示された光を受光する受光手段を備え、該受光手段による受光信号に基づき、前記駆動制御手段が自動的に前記駆動待機モードとなること、また前記押印装置に配設された発光表示手段が発光表示状態となることを特徴とする押印装置。
【発明の詳細な説明】
【０００１】
【発明の属する技術分野】
本発明は、画像記録装置等の本機に対してオプション機器として着脱可能で、本機に装着され、本機側から搬入されるシート（枚葉紙、単票紙、カットシート）に所定情報を押印する押印装置に関するものである。
【０００２】
【従来の技術】
従来より、例えば、銀行・証券会社等の金融機関においては、手形・小切手・株券等のシート状原稿の画像情報は、マイクロフィルマーやイメージスキャナー等の画像記録装置によって、保存記録処理されている。
【０００３】
また、これらの原稿には各々の金融機関において、所定の処理がなされたことを証明するために、記録済みの原稿の主として裏面には、受入・処理機関の名称、支店番号、処理コード、日付等の内容を明記するための押印（エンドースメント）が施されるのが一般的である。
【０００４】
このため、上述の画像記録装置には、該装置に導入され記録部を通過した記録済みの原稿に対して、上記内容が記載された押印を自動的に施す押印装置を具備させ、記録済み原稿に必要に応じて記録済み印や付加情報を付して、排出させるようにしたものがある。
【０００５】
図１０に、このような画像記録装置の一例の概略構成を示す。１０は画像記録装置である。１３は押印装置である。この押印装置１３はユーザーが必要に応じて任意選択で画像記録装置に対して装着して使用する、画像記録装置に着脱可能なオプション機器であり、画像記録装置１０の排紙口１９側に画像記録装置側と機械的・電気的に所定に接続して装着具備させてある。画像記録装置１０に押印装置１３が装着された状態において画像記録装置１０側の排紙口１９に押印装置１３側の給紙口２０が対応位置して両装置１０・１３は連通している。
【０００６】
画像記録装置１０において、１は給紙トレイであり、このトレイ１上に手形・小切手・株券等のシート状原稿（以下、シートと記す）Ｐが積載セットされる。記録スタートキー（不図示）が押されると、トレイ１上の原稿である積載シートＰは給紙ローラ２と分離ローラ３により１枚ずつ分離されて装置内に順次に給送され、搬送ローラ対４・５・７・８、ガイド部材等から構成される、画像記録装置内のシート搬送路を所定の速度で搬送される。
【０００７】
そして、１枚分離給送シートＰが搬送ローラ対５・７の間を搬送される過程において記録部６により該シートＰの画像情報が記録処理される。記録部６は、縮小投影光学系や光電変換読取系等であり、搬送されたシートＰの画像情報をマイクロフィルムあるいは光磁気ディスク等の電気的記録媒体に記録処理する。
【０００８】
記録部６を通過した記録済みシートＰは搬送ローラ対７・８を通過して、画像記録装置１０の原稿排紙口側に接続して装着具備させた押印装置１３内に導入される。押印装置１３内に導入された記録済みシートＰは、搬送ローラ対１４・１７、ガイド部材等から構成される、押印装置１３内のシート搬送路を引き続き所定の速度で搬送される。
【０００９】
そして、シートＰが搬送ローラ対１４・１７の間を搬送される過程において該ローラ対１４・１７間に配設した押印部１５とこれに対向のプラテンローラ１６の間を通過する過程において、押印部１５の作動で搬送シートＰ面に押印が施される。押印部１５は例えば押印ドラムやインクジェットヘッド等による押印印字機構である。
【００１０】
このようにして記録済み・押印済みのシートＰ′が押印装置１３の排紙口２１から排紙トレイ１８へ順次に排出される。
【００１１】
画像記録装置１０において、シート搬送路の記録部６よりもシート搬送方向上流側の搬送ローラ対４・５間にはシート検知センサ９が配設されており、このセンサ９による搬送シート先端検知信号が画像記録装置１０内の制御回路１１へ入力される。制御回路１１は該入力信号に基づいて、画像形成装置側の記録部６の記録開始タイミングや、押印装置１３側の押印部１５の押印動作開始タイミング等を制御する。
【００１２】
画像記録装置１０側の各ローラ２・３・４・５・７・８は画像記録装置１０内の駆動モータ１２により不図示のベルトやギア等の駆動伝達手段によって駆動される。また押印装置１３側の各ローラ１４・１６・１７も画像記録装置１０内の駆動モータ１２に不図示のベルトやギア等の駆動伝達手段を介して接続され、画像記録装置１０側の駆動モータ１２により画像記録装置側の各ローラのシート搬送速度に同期した速度で駆動される。
【００１３】
【発明が解決しようとする課題】
上記従来例のようなオプション機器としての押印装置１３は、本機である画像記録装置１０に対してユーザーが容易に着脱出来、所定に正しく装着して使用出来ることが望ましいが、画像記録装置１０との専門的な機械的および電気的な接続操作が必要となるので、サービスマンによる作業が不可欠であった。
【００１４】
即ち、従来例の押印装置１３では、画像記録装置１０側に設けられたシート検知センサ９によるシート検知信号に基づいて、押印動作開始タイミングが制御されるので、画像記録装置１０側との電気的接続を無くすことは困難であった。
【００１５】
画像記録装置１０に対してオプション機器としての押印装置１３をサービスマンによらずユーザーが容易に着脱出来るようにするためには、画像記録装置１０側から押印装置１３側への駆動の供給や信号のやり取りを行なうための専門的な機械的および電気的接続や設定をなしにする必要があり、そのためには、押印装置１３側にも駆動源を具備させ、画像形成装置１０とは別電源により駆動する装置構成とすることが望ましい。
【００１６】
しかしながら、押印装置１３の電源および電源スイッチを画像記録装置１０とは別に独立させて設けると、装置の使用に際して、画像記録装置１０の電源スイッチをＯＮ操作し、さらに押印装置１３の電源スイッチも忘れずにＯＮ操作する必要があり、操作が煩雑になるし、また押印装置１３の電源スイッチのＯＮ操作を失念し勝ちである。
【００１７】
押印装置１３の電源スイッチをＯＦＦにしたまま、画像記録装置１０のみを駆動させてシートＰを搬送させてしまうと、画像記録装置１０側から押印装置１３側に導入される記録済みのシートＰは、押印装置１３内の搬送ローラが駆動されないので画像記録装置１０と押印装置１３との連結部分のシート搬送路で必ずジャムが発生する。この場合、原稿であるシートＰは、手形・小切手等の重要書類であるため、ジャムによって折れたり、破損したりすることは好ましくない。
【００１８】
そこで本発明の目的は、画像記録装置等の本機に対して着脱可能なオプション機器としての押印装置について、既存の画像記録装置等の本機に対して、専門的な機械的および電気的接続操作を必要とせず、したがってサービスマンによらずユーザーが容易に着脱可能で所定に正しく装着して使用出来るようにした押印装置を提供することにある。
【００１９】
また、その他の目的としては、装置使用時の操作性を向上させるとともに、電源投入忘れによる搬送シートのジャムトラブルの発生を厳に防止するようにした押印装置を提供することにある。
【００２０】
【課題を解決するための手段】
本発明は下記の構成を特徴とする押印装置である。
【００２３】
画像記録装置等の本機に着脱可能で、本機に装着され、本機と独立した駆動源により駆動され、本機側から搬入されるシートに押印を施す押印装置であり、
本機側からの搬入シートの有無を検知するシート検知手段と、
シート搬送路の前記シート検知手段よりもシート搬送方向下流側に配設されたシート搬送手段と、
前記シート搬送手段により搬送されるシートに押印を施す押印手段と、
前記シート検知手段によるシート検知信号に基づいて、前記シート搬送手段と前記押印手段を駆動制御する駆動制御手段と
を備え、
前記押印装置は、電源供給状態において、前記駆動制御手段が駆動制御を停止する駆動停止モードと、駆動制御可能な駆動待機モードとを有し、前記画像記録装置等の本機の電源スイッチに連動して本機側電源のＯＮ状態を表示する発光表示手段により発光表示された光を受光する受光手段を備え、該受光手段による受光信号に基づき、前記駆動制御手段が自動的に前記駆動待機モードとなること、また前記押印装置に配設された発光表示手段が発光表示状態となることを特徴とする押印装置。
【００２４】
〈作  用〉
即ち本発明に係る、画像記録装置等の本機に対して着脱可能なオプション機器としての押印装置は、画像記録装置等の本機と独立した駆動源により駆動され、かつ押印装置側に設けた、本機側からの搬入シートの有無を検知するシート検知手段によるシート検知信号に基づいて押印装置のシート搬送手段と押印手段を駆動制御するので、画像記録装置等の本機側から押印装置側への駆動の供給や信号のやり取りを行なうための専門的な機械的および電気的接続や設定を無くすことが可能であり、したがってサービスマンによらなくとも、ユーザーが簡単・容易に画像記録装置等の本機に対して着脱して所定に正しく装着し使用することが可能となる。
【００２５】
押印装置の電源（電源回路）は、画像記録装置等の本機の電源のＯＮ／ＯＦＦ状態に追従して自動的にＯＮ（駆動待機モード）／ＯＦＦ（駆動停止モード）切り替え制御され、押印装置の電源を手動でＯＮ／ＯＦＦする操作はないので、操作性が向上するとともに、押印装置の電源の入れ忘れによる該押印装置の不作動で、画像記録装置等の本機側から押印装置側に搬入されたシートがジャムする事態の発生を厳に防止出来る。
【００２６】
また作業の終了後に、画像記録装置等の本機の電源はＯＦＦ操作しても押印装置の電源は切り忘れすることによる電力の無駄消費も防止出来る。
【００２７】
【発明の実施の形態】
以下、本発明を図示の実施例に基づいて説明する。
【００２８】
（１）画像記録装置１００
図１は画像記録装置１００の外観斜視図、図４は横断側面図である。
【００２９】
画像記録装置１００は不図示のコード等により商用電源と接続されて電力供給を受ける。１１９は電源スイッチであり、この電源スイッチがＯＮされることで画像記録装置１００は使用可能状態になる。電源スイッチ１１９がＯＮされると、画像記録装置１００の本体上部中央部に配設された電源表示部１２０が点灯して画像記録装置１００の電源がＯＮ状態にあることが表示される。この電源表示部１２０は、ＬＥＤランプ１２１と、これをカバーする装置本体上部カバー１２３に設けられた透明窓部材１２２より構成される。
【００３０】
１１０は画像記録装置１００の前面部に設けた原稿給紙台、１１２・１１２は該原稿給紙台１１０の左右側に設けたガイド規制板（サイドガイド）であり、シート搬送方向に直交する方向にスライド移動操作自由である。
【００３１】
１１１は給紙トレイであり、画像記録装置１００の前面部に装置手前側に張り出させて設けてある。不使用時は画像記録装置１００から取り外すこともできる。１１１ａは給紙トレイ１１１を延長拡張する補助トレイであり、給紙トレイ１１１に引き出し・押し込み格納自由に具備させてある。
【００３２】
原稿としての手形・小切手等のシートＰは原稿給紙台１１０上に積載され、左右のガイド規制板１１２・１１２により両サイドを規制整列されてセットされる。シートＰが大サイズであれば原稿給紙台１１０と給紙トレイ１１１にまたがらせて積載セットされる。更に大サイズのシートであれば補助トレイ１１１ａを引き出して給紙トレイ１１１を延長拡張する。
【００３３】
記録スタートキー（不図示）が押されると、上記の積載セットシートＰの最上位のシートが給紙ローラ１０１の駆動によって繰り出され、送りローラ１０２と分離ローラ１０３とのローラ対により上記の最上位のシートのみが次位以下のシートから１枚分離されて給送される。
【００３４】
このように１枚分離給送されたシートは、レジストローラ１０４、第１ニップローラ１０５、第２ニップローラ１０６、搬送ローラ１０７、排紙ローラ１０８、搬送ガイド１１７等から構成される、画像記録装置１００内のシート搬送路を所定の速度で搬送される。このシート搬送路は第２ニップローラ１０６以降からは画像記録装置１００の本体上面部に配設した排紙部１１３へ向かうＵターン（Ｕ字状）搬送路としてあり、したがってシート搬送路を搬送されたシートは排紙ローラ１０８から排紙部１１３へ排紙される。
【００３５】
１１４は開閉自在の排紙トレイであり、排紙部１１３の上に畳み込むことができ、また排紙部１１３上から図示のように開き回動させて排紙部１１３を延長拡張することで大サイズシートの排紙に対処できる。
【００３６】
上記のシート搬送路の第１と第２のニップローラ１０５・１０６間にはシート搬送路を中にして上側と下側とに第１と第２の画像読取部１１５・１１６を配設してある。したがってシート搬送路を搬送されるシートはこの第１と第２の画像読取部１１５・１１６の間を通過していく過程において表裏の画像が読み取られる。本実施例の装置においては第１と第２の画像読取部１１５・１１６は光電読取ユニットであり、シートの表裏の画像は光電変換読取され、光磁気ディスク等の記録装置（不図示）に記録される。
【００３７】
この画像記録装置１００内の上記の各ローラは、駆動源であるモータ１１８によって不図示の動力伝達系を介して駆動される。またシート搬送路の送りローラ・分離ローラ対１０２，１０３と、レジストローラ１０４との間にはシート検知センサ１０９を配設してあり、このセンサ１０９によるシート検知信号が制御回路（不図示）に入力される。制御回路は該入力信号に基づいてレジストローラ１０４の駆動開始タイミングや画像読取部１１５・１１６での読取開始タイミング等を制御する。
【００３８】
かくして、画像記録装置１００に積載セットしたシートＰが順次に１枚分離給送され、積載セットの全てのシートの画像読取・記録処理が順次に実行され、記録済みシートが排紙部１１３・排紙トレイ１１４上に順次に排出される。
【００３９】
（２）押印装置２００
図２は押印装置２００の外観斜視図、図３及び図５はそれぞれ該押印装置２００を装着した状態の画像記録装置１００の外観斜視図と横断側面図である。
【００４０】
ａ）装置の装着
本実施例の押印装置２００は、図３のように、排紙口２５２を有する装置前面側を前向きして画像記録装置１００の上面部の排紙部１１３上に画像記録装置の左右側面板１２４・１２４の上縁部間を跨がらせて、かつ装置後部を画像記録装置１００の左右側面板１２４・１２４と装置本体上部カバー１２３との段差部に突き当てて受け止めさせた状態（図５）にして載置することで画像記録装置１００に対して装着される。
【００４１】
より具体的には、本実施例の押印装置２００の左右の側面板２５０・２５０の下縁部にはその長手に沿って、画像記録装置１００の左右の側面板１２０・１２０の上縁部の上面部と内側面部の直角２面に対応する直角２面を有する係合凹溝部２５０ａ・２５０ａを具備させてあり、この係合凹溝部２５０ａ・２５０ａをそれぞれ画像記録装置１００の左右の側面板１２４・１２４の上縁部に係合させて押印装置２００を画像記録装置１００の本体上面部の排紙部１１３上に装置の左右側面板１２４・１２４の上縁部間を跨がらせ、かつ装置後部を画像記録装置の左右側面板１２４・１２４と装置本体上部カバー１２３との段差部に受け止めさせて載置することで画像記録装置１００に対して安定に装着される。
【００４２】
上述のような押印装置２００の画像記録装置１００に対する装着操作は、専門的な機械的および電気的接続操作を必要とせず、したがってサービスマンによらなくともユーザーが簡単・容易に着脱可能であり、所定に正しく装着操作することが出来るものである。
【００４３】
なお、押印装置２００の画像記録装置１００に対する上記の装着状態をより安定に維持させるために、適当な掛け止め部材を具備させて該部材で押印装置２００の画像記録装置１００に対する装着状態をロックする構成にすることもできる。
【００４４】
上述のような要領にて押印装置２００が画像記録装置１００上に所定に載置装着された状態においては、図５の横断側面図のように、該押印装置２００の後面側下部に開口させたシート受け口２５１が画像記録装置１００側の排紙ローラ１０８に対応位置している。
【００４５】
押印装置２００の上記のシート受け口２５１は本実施例では上下２枚の搬送ガイド板２０１・２０２により構成させたＶ字状開口部である。画像記録装置１００側から排紙ローラ１０８で排出される記録済みシートは上記のシート受け口２５１から押印装置２００内に進入することになる。
【００４６】
また、押印装置２００の後部カバー２２１の下面中央部には開口孔２２１ａ（図５・図６）を形成してあり、この開口孔２２１ａの近傍にフォトトランジスタ等の受光センサ２２２を配設してある。
【００４７】
そして該押印装置２００が画像記録装置１００上に所定に載置装着された状態においては、該押印装置２００の後部カバー２２１の下面中央部に形成した開口孔２２１ａが、画像記録装置１００の本体上部中央部に配設された前述の電源表示部１２０に対向位置する。したがって、画像記録装置１００の電源スイッチ１１９がＯＮされて電源表示部１２０が点灯すると、その点灯光が開口孔２２１ａを通過して押印装置２００内に入射し、該開口孔２２１ａの近傍に配設の押印装置側の受光センサ２２２に入光することになる。
【００４８】
ｂ）電源系統
押印装置２００は画像記録装置１００とは別に不図示のコード等により商用電源と接続されて電力供給を受ける。画像記録装置１００側にオプション機器用の電源コンセントを具備させ、この電源コンセントに押印装置２００側のプラグを差し込むことで押印装置２００に電力供給する構成とすることもできる。
【００４９】
ここで、押印装置２００の前記受光センサ２２２を含む所定の回路部分には押印装置２００が商用電源と接続されている状態にある限り常に電力供給（電源供給）を受けているが、その消費電力はごく少ない。
【００５０】
▲１▼．画像記録装置１００の電源スイッチ１１９がＯＦＦにされているときは、画像記録装置１００側の電源表示部１２０は消灯しているので、該電源表示部１２０から、押印装置２００側の受光センサ２２２への光入射がないことで、該受光センサ２２２による所定光量の検知がなされず、画像記録装置１００の電源（電源回路）がＯＦＦであるとともに、押印装置２００の電源（電源回路）もＯＦＦ（駆動停止モード）の状態に保持されている。
【００５１】
▲２▼．画像記録装置１００の電源スイッチ１１９がＯＮにされると、画像記録装置１００側の電源表示部１２０が点灯し、その点灯光が開口孔２２１ａを通過して押印装置２００内に入射し、該開口孔２２１ａの近傍に配設の押印装置側の受光センサ２２２に入光し検知される。
【００５２】
該受光センサ２２２によって所定の光量が検知されることで、押印装置２００側の電源が、自動的に、ＯＦＦ（駆動停止モード）の状態からＯＮ（駆動待機モード）の状態になる。
【００５３】
そして押印装置２００側の操作部２３０の電源表示ランプ（ＬＥＤ）２３１が点灯状態になる。
【００５４】
本実施例の装置１００・２００においては、画像記録装置１００の電源表示部１２０が押印装置２００を装着すると隠れて見えない位置に存在するため、押印装置２００の操作部２３０に配設された上記の電源表示ランプ２３１は画像記録装置１００の電源のＯＮ／ＯＦＦ状態を中継する役割を兼ねている。
【００５５】
即ち押印装置２００の上記の電源表示ランプ２３１が消灯していれば、画像記録装置１００も押印装置２００も共に電源がＯＦＦの状態にあり、点灯していれば、画像記録装置１００も押印装置２００も共に電源がＯＮの状態にあることを示している。押印装置２００の電源のＯＮ状態は、画像記録装置１００側の電源スイッチ１１９がＯＮにされていて電源表示部１２０が点灯している限り保持される。
【００５６】
▲３▼．画像記録装置１００の電源スイッチ１１９が再びＯＦＦにされると、画像記録装置１００の電源はＯＦＦになり、これに伴い電源表示部１２０が消灯して該電源表示部１２０から押印装置２００側の受光センサ２２２への光入射がなくなることで、該受光センサ２２２による所定光量の検知がなされず、押印装置２００の電源も再びＯＦＦの状態に保持される。これに伴い、押印装置２００の電源表示ランプ２３１も消灯する。
【００５７】
かくして、該押印装置２００の電源（電源回路）は、上記のように、画像記録装置１００の電源のＯＮ／ＯＦＦ状態に追従して自動的にＯＮ（駆動待機モード）／ＯＦＦ（駆動停止モード）切り替え制御され、押印装置２００の電源を手動でＯＮ／ＯＦＦする操作はないので、操作性が向上するとともに、押印装置２００の電源の入れ忘れによる該押印装置２００の不作動で、画像記録装置１００側から押印装置２００側に搬入されたシートがジャムする事態の発生を厳に防止出来る。
【００５８】
また作業の終了後に、画像記録装置１００の電源はＯＦＦ操作しても押印装置２００の電源は切り忘れすることによる電力の無駄消費も防止出来る。
【００５９】
ｃ）押印動作
画像記録装置１００に対して押印装置２００が所定に装着され、画像記録装置１００の電源スイッチ１１９がＯＮされ、したがって押印装置２００の電源も上述のように自動的にＯＮの状態に保持されている状態において、前述したように、画像記録装置１００の給紙部１１０・１１１に原稿としての手形・小切手等のシートＰを所定に積載セットし、記録スタートキーを押すことにより、積載セットしたシートＰが画像記録装置１００内に順次に１枚分離給送され、画像記録装置１００においてその各給送シートの画像読取・記録処理が順次に実行され、記録済みシートが順次に排紙ローラ１０８から押印装置２００のシート受け口２５１に進入する。
【００６０】
押印装置２００のシート受け口２５１に記録済みシートが進入すると、シート受け口２５１を構成している上下の搬送ガイド板２０１・２０２のＶ字状の開口部の近傍に配設されたシート検知センサ２０３によって上記進入の記録済みシートの先端検知が行なわれ、その先端検知信号が押印装置２００の制御手段（ＣＰＵ）２３２（図９）に入力する。
【００６１】
制御手段２３２は入力した上記の先端検知信号に基づいて第１のパルスモータ２０７を駆動させて搬送ローラ２０５およびプラテンローラ２０６をそれぞれシート搬送方向に順方向に回転駆動させる。このときの、搬送ローラ２０５およびプラテンローラ２０６の駆動速度は、画像記録装置１００の排紙ローラ１０８より排出される記録済みシートＰの排出速度に同期した速度である。
【００６２】
そして画像記録装置１００側から押印装置２００内に進入した記録済みシートは回転駆動が開始された搬送ローラ２０５に中継ぎされて押印装置２００内を搬送され、回転駆動が開始されたプラテンローラ２０６上を通る。
【００６３】
一方、制御手段２３２は前記入力の先端検知信号に基づいて所定の制御タイミング時点で第２のパルスモータ２０９を駆動させて、プラテンローラ２０６の上方に対向配置された押印ドラム２０８をシート搬送方向に順方向に回転駆動させる。押印ドラム２０８の回転駆動速度は、搬送ローラ２０５およびプラテンローラ２０６によって搬送されるシートＰの搬送速度に同期した速度である。
【００６４】
押印ドラム２０８の外周面上には押印判２１０が貼付されており、この押印判２１０の面が、押印ドラム２０８が回転したときに該押印ドラム２０８の上方に対向配置されていてインクを含浸させたインクローラ２１１に接触して、該押印判２１０の面に対するインク塗布がなされる。そして回転する押印ドラム２０８の押印判２１０の面と回転するプラテンローラ２０６との間に記録済みシートが挟持搬送されることで、該シートに記録済みを示す押印が施される。
【００６５】
押印の施された記録済みシートは、押印装置２００の排紙口２５２より押印装置外に排出され、画像記録装置１００の排紙部１１３および排紙トレイ１１４上に積載される。
【００６６】
図７は押印装置２００の内部機構の斜視模型図、図８の（ａ）・（ｂ）は押印ドラム２０８の動作説明図である
第１のパルスモータ２０７には駆動ギア２１２が連結されており、該駆動ギア２１２による回転駆動力はアイドラギア２１３を介してギア２１４および２１５に伝達され、搬送ローラ２０５およびプラテンローラ２０６が画像記録装置１００の排紙ローラ１０８より排出されるシートＰの排出速度に同期した速度で駆動される。
【００６７】
一方、押印ドラム２０８の軸２１６にはギア２１７およびエンコーダ２１８が固定されている。第２のパルスモータ２０９には駆動ギア２２０が連結されており、該駆動ギア２２０による回転駆動力はギア２１７を介して押印ドラム軸２１６に伝達され、押印ドラム２０８が搬送ローラ２０５およびプラテンローラ２０６によって搬送されるシートＰの搬送速度に同期した速度で回転駆動される。
【００６８】
押印ドラム２０８は、外周面上の１８０度対向位置に２枚の押印判２１０と切欠部２０８ａ・２０８ｂを有す。該切欠部２０８ａまたは２０８ｂがプラテンローラ２０６に対面して停止している状態（図８の（ａ））が押印ドラム２０８の待機状態（ホームポジション）である。この状態では、上記両者間に隙間があり、シートＰは隙間を通り、押印されない。
【００６９】
押印ドラム２０８が半回転駆動されることにより、押印ドラム２０８の押印判２１０の面と回転するプラテンローラ２０６との間に記録済みシートが挟持搬送されて一つのシートＰに対して一つの押印がなされる（図８の（ｂ））。
【００７０】
押印ドラム２０８の待機状態（ホームポジション）の検出は、待機位置に合わせて設定されたエンコーダ２１８とフォトインタラプタ２１９によって行なわれる。
【００７１】
シートＰに対する押印の位置（シート搬送方向の位置）は、シート検知センサ２０３がシートＰの先端を検知してから、押印ドラム２０８が回転駆動開始するタイミングを調整することによって、変更可能である。
【００７２】
図９は上記押印装置２００の制御系のブロック図である。押印装置２００の制御手段（ＣＰＵ）２３２は、前述の受光センサ２２２の光量検知信号の入力を受けることで画像記録装置１００の電源のＯＮ状態を検知し、押印装置２００の電源をＯＦＦ（駆動停止モード）からＯＮ（駆動待機モード）に切り替え、発光表示手段（電源表示ランプ（ＬＥＤ））２３１を点灯させる。また、制御手段２３２は、シート検知手段（シート検知センサ）２０３のシート先端検知信号の入力を受けることで、搬送駆動手段（第１のパルスモータ）２０７および押印駆動手段（第２のパルスモータ）２０９の駆動制御をして、搬送手段（搬送ローラおよびプラテンローラ）２０５・２０６、及び押印手段（押印ドラム）２０８を所定に制御する。
【００７３】
本実施例においては、押印手段および押印駆動手段として、押印ドラム２０８およびパルスモータ２０９を用いたが、これに限らず、インクジェットヘッド等による押印印字機構であってもよい。
【００７４】
画像記録装置はマイクロフィルマーであってもよいし、またファクシミリ装置等であってもよい。
【００７５】
【発明の効果】
以上説明したように、本発明によれば、画像記録装置等の本機に対して着脱可能なオプション機器としての押印装置について、既存の画像記録装置等の本機に対して、専門的な機械的および電気的接続操作を必要とせず、したがってサービスマンによらずユーザーが容易に着脱可能で所定に正しく装着して使用出来るようにした押印装置を提供することができる。
【００７６】
また、装置使用時の操作性を向上させるとともに、搬送シートのジャムトラブルの発生を厳に防止するようにした押印装置を提供することができる。
【図面の簡単な説明】
【図１】実施例の画像記録装置の外観斜視図
【図２】実施例の押印装置の外観斜視図
【図３】押印装置を装着させた画像形成装置の外観斜視図
【図４】画像記録装置の横断側面図
【図５】押印装置を装着させた画像形成装置の横断側面図
【図６】図５の部分的拡大図
【図７】押印装置の内部機構の斜視模型図
【図８】押印ドラムの動作説明図
【図９】押印装置の制御系のブロック図
【図１０】従来例としての、押印装置を備えた画像記録装置の概略構成図
【符号の説明】
１００    画像記録装置
１１９    電源スイッチ
１２０    電源表示部
２００    押印装置
２０３    シート検知センサ
２０５    搬送ローラ
２０６    プラテンローラ
２０７・２０９    パルスモータ
２０８    押印ドラム
２２２    受光センサ
２３１    電源表示ランプ
【図１】
0003856172.tif 000002
【図２】
0003856172.tif 000003
【図３】
0003856172.tif 000004
【図４】
0003856172.tif 000005
【図５】
0003856172.tif 000006
【図６】
0003856172.tif 000007
【図７】
0003856172.tif 000008
【図８】
0003856172.tif 000009
【図９】
0003856172.tif 000010
【図１０】
0003856172.tif 000011